(57)【要約】      （修正有）【課題】水による浮力を利用する新型水車回転装置を提供する。【解決手段】支持板１と、回転軸２と、回転フレーム３と、補強リング４と、給電装置５とを含む新型水車回転装置であって、回転フレームは回転リングと回転ブラケットを含み、回転リングは複数の回転ブラケットにそれぞれ固定接続され、複数の回転ブラケットのそれぞれの一端にはそれぞれ１番のシリンダーアセンブリ７、２番のシリンダーアセンブリ８、３番のシリンダーアセンブリ９、４番のシリンダーアセンブリ１０、５番のシリンダーアセンブリ１１、６番のシリンダーアセンブリ１２、７番のシリンダーアセンブリ１３、８番のシリンダーアセンブリ１４が溶接されており、１番のシリンダーアセンブリはシリンダーと、シリンダーに接続される密封管と、密封管の他端に接続される通気管と、吐水口と、給水口とを含む。シリンダーのピストン運動によって空気を吸入しながら水を排出することで、水中の真空シリンダーが上へ浮上する。【選択図】図１
0003226279.tif 000002
【実用新案登録請求の範囲】
【請求項１】
支持板（１）と、回転軸（２）と、回転フレーム（３）と、補強リング（４）と、給電装置（５）とを含む新型水車回転装置であって、前記回転フレーム（３）は回転リングと回転ブラケットを含み、前記回転リングは複数の回転ブラケットにそれぞれ固定接続され、複数の回転ブラケットのそれぞれの一端にはそれぞれ１番のシリンダーアセンブリ（７）、２番のシリンダーアセンブリ（８）、３番のシリンダーアセンブリ（９）、４番のシリンダーアセンブリ（１０）、５番のシリンダーアセンブリ（１１）、６番のシリンダーアセンブリ（１２）、７番のシリンダーアセンブリ（１３）、８番のシリンダーアセンブリ（１４）が溶接されており、
前記１番のシリンダーアセンブリ（７）はシリンダー（７０１）と、前記シリンダー（７０１）に接続される密封管（７０２）と、前記密封管（７０２）の他端に接続される通気管（７０３）と、吐水口（７０４）と、給水口（７０５）とを含むことを特徴とする新型水車回転装置。
【請求項２】
前記給電装置（５）が設置される前記回転フレーム（３）は、前記回転軸（２）と前記支持板（１）とによって回転することを特徴とする請求項１に記載の新型水車回転装置。
【請求項３】
前記回転フレーム（３）には複数の防水イルミネーション（６）が設置されることを特徴とする請求項１に記載の新型水車回転装置。
【考案の詳細な説明】
【技術分野】
【０００１】
本考案は、回転装置に関し、具体的に、新型水車回転装置に関する。
【背景技術】
【０００２】
水車は、古代、中国の労働者によって、水流を十分に利用して開発した運転機械である。文献の記載によれば、水車が約東漢時代から現れてきた。水車は、中国農業文化の重要な構成要素として、中華民族の創造力を示し、中国の農業文明を反映し、水文研究の歴史に証拠を提供する。水車の発明によって人民の安心な暮らしや社会の調和と安定を保証している。
【０００３】
現在の水車は、既に公園内における景観施設として利用されるようになっているが、従来の水車は、回転装置によって直接的に回転フレームを回転させ、面白さの低いものが一般的である。そのため、本発明者は、上記背景技術に挙げられた問題を解決するように新型水車回転装置を提供する。
【考案の概要】
【考案が解決しようとする課題】
【０００４】
本考案は、新型水車回転装置を提供し、上記背景技術に挙げられた問題を解決することを目的とする。
【課題を解決するための手段】
【０００５】
上記目的を達成するために、本考案は、以下の技術的解決手段を提供する。
【０００６】
支持板と、回転軸と、回転フレームと、補強リングと、給電装置とを含む新型水車回転装置であって、前記回転フレームは回転リングと回転ブラケットを含み、回転リングは複数の回転ブラケットにそれぞれ固定接続され、複数の回転ブラケットのそれぞれの一端にはそれぞれ１番のシリンダーアセンブリ、２番のシリンダーアセンブリ、３番のシリンダーアセンブリ、４番のシリンダーアセンブリ、５番のシリンダーアセンブリ、６番のシリンダーアセンブリ、７番のシリンダーアセンブリ、８番のシリンダーアセンブリが溶接されており、
前記１番のシリンダーアセンブリはシリンダーと、シリンダーに接続される密封管と、密封管の他端に接続される通気管と、吐水口と、給水口とを含む。
【０００７】
本考案の別の態様として、給電装置が設置される前記回転フレームは回転軸と支持板によって回転する。
【０００８】
本考案の別の態様として、前記回転フレームには複数の防水イルミネーションが設置される。
【０００９】
従来技術に比べて、本考案の好適な効果は以下のとおりである。
【００１０】
シリンダーのピストン運動によって空気を吸入しながら水を排出することで、水中の真空シリンダーが上へ浮上する。水上のシリンダーが空気を排出して水体下に水没され、このように順次繰り返して水車がくるくると回転する。この水車の最も大きな特徴としては、主に水による浮力を利用していることである。
【図面の簡単な説明】
【００１１】
【図１】新型水車回転装置の構成図を示す。
【図２】新型水車回転装置における１番のシリンダーアセンブリの構成図を示す。
【考案を実施するための形態】
【００１２】
以下に本考案の実施例の図面に合わせ、本考案の実施例の技術的解決手段を明確、全体的に説明し、明らかに、記載された実施例は、本考案の一部の実施例に過ぎず、全ての実施例ではない。本考案に係る実施例に基づき、当業者は創造的な労働を要することなく取得された全ての別の実施例は、いずれも本考案の実用新案登録請求の範囲に含まれるべきである。
【００１３】
図１〜２に示すように、本考案の実施例において、支持板１と、回転軸２と、回転フレーム３と、補強リング４と、給電装置５とを含む新型水車回転装置であって、前記回転フレーム３は回転リングと回転ブラケットを含み、回転リングは複数の回転ブラケットにそれぞれ固定接続され、複数の回転ブラケットのそれぞれの一端にはそれぞれ１番のシリンダーアセンブリ７、２番のシリンダーアセンブリ８、３番のシリンダーアセンブリ９、４番のシリンダーアセンブリ１０、５番のシリンダーアセンブリ１１、６番のシリンダーアセンブリ１２、７番のシリンダーアセンブリ１３と８番のシリンダーアセンブリ１４が溶接されており、
前記１番のシリンダーアセンブリ７はシリンダー７０１と、シリンダー７０１に接続される密封管７０２と、密封管７０２の他端に接続される通気管７０３と、吐水口７０４と、給水口７０５とを含む、ことを特徴とする。
【００１４】
給電装置５が設置される回転フレーム３は回転軸２と支持板１によって回転し、回転フレーム３には複数の防水イルミネーション６が設置される。
【００１５】
使用時、コントローラを別体に設置してその給電装置５と、１番のシリンダーアセンブリ７と、２番のシリンダーアセンブリ８と、３番のシリンダーアセンブリ９と、４番のシリンダーアセンブリ１０と、５番のシリンダーアセンブリ１１と、６番のシリンダーアセンブリ１２と、７番のシリンダーアセンブリ１３と、８番のシリンダーアセンブリ１４を制御する。
【００１６】
シリンダー７０１の一端には密封管７０２を通じて通気管７０３が設けられて空気を吸入したり、排出したりすることができ、他端は開放して吐水口７０４と給水口７０５となり、シリンダー７０１のピストン運動によって空気を吸入しながら水を排出し、水を排出すると共に通気管７０３を通じて空気をシリンダー７０１に吸入することができ、シリンダー７０１が水中で真空になり、水による浮力によって上へ浮上することによって回転フレーム３の回転を駆動する。
【００１７】
この水車の回転フレーム３は半分が水中に、他の半分が水上にある。
【００１８】
ア、水中の６番のシリンダーアセンブリ１２と７番のシリンダーアセンブリ１３は給電装置５によってシリンダーのピストンを駆動することで、水中のシリンダーにおいて水を排出すると共に空気を吸入して水中のシリンダーが真空になり、水による浮力を利用することが可能になる。
【００１９】
イ、同時に水上の２番のシリンダーアセンブリ８と１番のシリンダーアセンブリ７は給電装置５によってシリンダーのピストンロッドを付勢して空気を排出させることで、水面の水が迅速にシリンダーに吸入され、シリンダーが迅速に水体下に水没されて水車の回転に影響を与えない。
【００２０】
水中の真空シリンダーが上へ浮上する。水上のシリンダーが空気を排出して水体下に水没され、このように順次繰り返して水車がくるくると回転する。この水車の最も大きな特徴としては、主に水による浮力を利用していることである。
【００２１】
１番のシリンダーアセンブリ７と、２番のシリンダーアセンブリ８と、３番のシリンダーアセンブリ９と、４番のシリンダーアセンブリ１０と、５番のシリンダーアセンブリ１１と、６番のシリンダーアセンブリ１２と、７番のシリンダーアセンブリ１３と、８番のシリンダーアセンブリ１４の構造は同一である。
【００２２】
以上の記載は、本考案の好ましい実施形態に過ぎず、本実用新案登録請求の範囲はこれに限定されるものではなく、当業者は、本考案に開示された技術範囲内において、本考案の技術的解決手段及びその考案の構想に基づきなされた等価物による置換又は変更は、いずれも本実用新案登録請求の範囲に含まれるべきである。
【符号の説明】
【００２３】
１      支持板
２      回転軸
３      回転フレーム
４      補強リング
５      給電装置
６      防水イルミネーション
７      １番のシリンダーアセンブリ
７０１  シリンダー
７０２  密封管
７０３  通気管
７０４  吐水口
７０５  給水口
８      ２番のシリンダーアセンブリ
９      ３番のシリンダーアセンブリ
１０    ４番のシリンダーアセンブリ
１１    ５番のシリンダーアセンブリ
１２    ６番のシリンダーアセンブリ
１３    ７番のシリンダーアセンブリ
１４    ８番のシリンダーアセンブリ
【図１】
0003226279.tif 000003
【図２】
0003226279.tif 000004